(57)【要約】【課題】噴き出る気流の流量を十分に確保しつつ、吹き出た気流の減速を抑制することが可能なアタッチメントを提供する【解決手段】気流の吹き出し口に背面側が取り付けられるアタッチメント１０である。背面開口から正面開口へと気流が通過可能な円錐台筒状の中央筒部１８と、中央筒部１８の背面開口の周囲に設けられる円環板状のフランジ部１７と、フランジ部１７に互いに間隔を空けて設けられる複数の孔１９と、を備える。フランジ部１７の孔１９を通過しなかった気流は、中央筒部１８へ流入するため、中央筒部１８から噴き出す気流の流量を十分確保できる。フランジ部１７の孔１９から吹き出す気流は、合流して円環状の気流となり、中央筒部１８の正面開口の周囲へ到達する。中央筒部１８から噴き出す気流の周囲が、円環状の気流に覆われて保護されるため、中央筒部１８から噴き出す気流は外気との接触が抑制され、流速を保つことができる。【選択図】図２
2020034258.tif 000002
【特許請求の範囲】
【請求項１】
気流の吹き出し口に背面側が取り付けられ、前記気流を前記背面側から正面側へと通過させるアタッチメントであって、
前記正面側の開口である正面開口と前記背面側の開口である背面開口とを有し、前記背面開口から前記正面開口へと前記気流が通過可能な中央筒部と、
前記中央筒部の前記背面開口の周囲に設けられ、前記気流の通過を制限する制限部と、
前記制限部に設けられ、前記制限部を前記背面側から正面側へと貫通する、互いに間隔を空けて設けられた複数の孔と、を備えるアタッチメント。
【請求項２】
前記孔を通過する気流を、前記中央筒部の前記正面開口の周囲へと誘導する誘導部を備える、請求項１に記載のアタッチメント。
【請求項３】
前記中央筒部の前記背面開口と前記制限部の背面側の端部とは、気流の進行方向に垂直な仮想平面上に位置する、請求項１又は２に記載のアタッチメント。
【請求項４】
前記中央筒部の形状は、前記背面開口から前記正面開口へ向けて内径が小さくなる円錐台筒状である、請求項１〜３のいずれか１項に記載のアタッチメント。
【請求項５】
前記制限部の形状は、前記中央筒部と中心軸を共有する円環板状である、請求項４に記載のアタッチメント。
【請求項６】
前記孔の形状は、正面視にて、前記中央筒部の外周面に沿って湾曲している、請求項５に記載のアタッチメント。
【請求項７】
前記孔の前記中心軸側の端部である内側端部の形状は、前記中央筒部の外周面に沿う弧である、請求項５又は６に記載のアタッチメント。
【請求項８】
前記孔の外周側の端部である外側端部の形状は、前記内側端部よりも中心角が大きい弧である、請求項７に記載のアタッチメント。
【請求項９】
前記外側端部の弧の長さの合計は、前記正面開口の円周よりも大きい、請求項８に記載のアタッチメント。
【請求項１０】
正面視にて、前記孔の面積が、周方向に隣接する一対の孔の間の面積と近似している、請求項６〜９のいずれか１項に記載のアタッチメント。
【請求項１１】
前記中央筒部の内部を通過する気流を、前記中心筒部の中心軸周りに回転させる渦流化部を備える、請求項１〜１０のいずれか１項に記載のアタッチメント
【請求項１２】
前記中央筒部は、前記正面開口側から前記背面開口側にかけて、中心軸と内周面とをつなぐ板状のフィンを複数備え、
前記フィンは、同一の周方向へと湾曲している、請求項４〜１０のいずれか１項に記載のアタッチメント。
【請求項１３】
気体を流入側から流出側へと通過させる、気流の吹き出し口構造であって、
前記気体の流入側の開口である正面開口と、前記気体の流出側の開口である背面開口とを有し、前記背面開口から前記正面開口へと前記気体が通過可能な中央筒部と、
前記中央筒部の前記背面開口の周囲に設けられ、前記気体の通過を制限する制限部と、
前記制限部に設けられ、前記制限部を前記背面側から正面側へと貫通する、互いに間隔を空けて設けられた複数の孔と、を備える吹き出し口構造。
【発明の詳細な説明】
【技術分野】
【０００１】
本発明は、送風装置の吹き出し口に取り付けられて用いられるアタッチメント、及び、送風装置における気流の吹き出し口構造に関する。
【背景技術】
【０００２】
従来、送風装置の吹き出し口の構造として、吹き出し口の中央の流路の周囲にも流路を設け、中央の流路から吹き出した気流と外気との間に層状の気流を介在させることで、中央の流路から吹き出した気流と外気との接触を抑制することが行われている。このような送風装置として、特許文献１に記載の吹き出し構造がある。特許文献１に記載の送風装置では、中央の筒部から吹き出す気流の周りに、その気流よりも流速の遅い気流を吹き出すことにより、中央の筒部から吹き出す気流と外気との接触を抑制している。
【先行技術文献】
【特許文献】
【０００３】
【特許文献１】特許第５０７１３１８号
【発明の概要】
【発明が解決しようとする課題】
【０００４】
中央の気流から吹き出す気流の流量が少なければ、その周囲を層状の気流で覆ったとしても、中央の気流の速度や、到達可能な距離は限定的である。一方、中央の流路から吹き出す気流の流量を多くすれば、周囲を覆う気流を十分確保できず、層状の気流で覆うことにより生ずる効果は限定的なものになる
【０００５】
本発明は、上記課題を解決するためになされたものであり、その主たる目的は、吹き出る気流の流量を十分に確保しつつ、吹き出た気流の減速を抑制することが可能なアタッチメント、及び、気流の吹き出し口構造を提供することにある。
【課題を解決するための手段】
【０００６】
第１の構成は、気流の吹き出し口に背面側が取り付けられ、気流を背面側から正面側へと通過させるアタッチメントであって、正面側の開口である正面開口と背面側の開口である背面開口とを有し、背面開口から正面開口へと気流が通過可能な中央筒部と、中央筒部の背面開口の周囲に設けられ、気流の通過を制限する制限部と、制限部に設けられ、制限部を背面側から正面側へと貫通する、互いに間隔を空けて設けられた複数の孔と、を備える。
【０００７】
第１の構成では、制限部を貫通する孔が互いに間隔を空けて設けられているため、アタッチメントに吹き込む気流全体に対する孔を通過する気流の割合が低減する。すなわち、中央筒部の背面開口に流入する気流が多くなり、中央筒部の正面開口から吹き出す気流である第１気流の流量が増加する。一方、孔を互いに間隔を空けて設ける場合、孔から吹き出した気流である第２気流の間に隙間が生ずる。その隙間の外気が第１気流と接する場合、第１気流が大きく減速するおそれがある。この点、制限部が中央筒部の背面開口の周囲に設けられているため、第２気流は拡散しつつ中央筒部の正面開口の周囲へと至る。これにより、第１気流が正面開口から吹き出す際に、第１気流の周囲が第２気流により覆われ、第１気流と外気との接触をより抑制することができる。したがって、第１気流の流量の確保しつつ、第１気流の減速を好適に抑制することができる。
【０００８】
第２の構成では、第１の構成に加えて、孔を通過する気流を、中央筒部の正面開口の周囲へと誘導する誘導部を備える。
【０００９】
孔から吹き出た第２気流は、拡散しつつ中央筒部の正面開口の周囲に至る。この場合に、第２気流が過剰に拡散してしまえば、正面開口の周囲に到達する第２気流を十分に確保できない。この点、第２の構成では、第２気流を中央筒部の正面開口の周囲へと誘導する誘導部を備えているため、第２気流の拡散を抑制することができる。これにより、第１気流と合流した際の第２気流の流量を十分確保でき、第１気流が外気と接することにより生ずる第１気流の減速を、好適に抑制することができる。
【００１０】
第３の構成では、第１又は第２の構成に加えて、中央筒部の背面開口と制限部の背面側の端部とは、気流の進行方向に垂直な仮想平面上に位置するものとしている。
【００１１】
第３の構成では、制限部の背面側の端部に到達し、且つ、孔と通過しない気流が中央筒部の背面開口へとより流入しやすくなる。したがって、第１気流の流量をより多くすることができる。
【００１２】
第４の構成では、第１〜第３のいずれかの構成に加えて、中央筒部の形状を、背面開口から正面開口へ向けて内径が小さくなる円錐台筒状としている。
【００１３】
流路面積に反比例して第１気流の速度が増加するため、第４の構成により、吹き出した第１気流の流速を増加させることができる。
【００１４】
第５の構成では、第４の構成に加えて、制限部の形状を、中央筒部と中心軸を共有する円環板状としている。
【００１５】
第５の構成では、円環板状の制限部に設けられた孔から吹き出した第２気流は、中央筒部の正面開口の全周を覆う円環状の層となる。したがって、第１気流と外気との接触により生ずる第１気流の減速をより好適に抑制することができる。
【００１６】
第６の構成では、第５の構成に加えて、孔の形状を、正面視にて、中央筒部の外周面に沿って湾曲させている。
【００１７】
第６の構成では、第２気流が正面開口の周囲に到達した場合に、より円環状の層を構成しやすくなる。したがって、第１気流と外気との接触により生ずる第１気流の減速をより好適に抑制することができる。
【００１８】
第７の構成では、第６の構成に加えて、孔の中心軸側の端部である内側端部の形状を、中央筒部の外周面に沿う弧としている。
【００１９】
第７の構成では、孔から吹き出した第２気流は、中央筒部の外周面に沿って正面開口の周囲へと至る。これにより、第２気流が正面開口に到達した際に、第１気流と第２気流との間に外気がより入り込みづらくなり、第１気流と外気との接触により生ずる減速をより好適に抑制することができる。
【００２０】
第８の構成では、第７の構成に加えて、孔の外周側の端部である外側端部の形状を、内側端部よりも中心角が大きい弧としている。
【００２１】
孔から吹き出る第２気流は、外側端部側ほど外側へ向かって拡散しやすいため、周方向に近接する２つの孔における、外側端部の間の第２気流の層が薄くなりやすい。この点、第８の構成では、外側端部を内側端部よりも中心角が大きい弧としているため、外側端部側から吹き出す第２気流の流量をより多くすることができ、中央筒部の正面開口の周囲における円環状の層の厚みを十分に確保することができる。
【００２２】
第９の構成では、第８の構成に加えて、外側端部の弧の長さの合計を、正面開口の円周よりも大きくしている。
【００２３】
第９の構成では、孔から吹き出た第２気流が正面開口に到達した際に、吹き出した時点の形状を維持しているとしても、円環状の層を形成する第２気流で正面開口の全周を覆うことができる。したがって、第１気流と外気との接触により生ずる減速をより好適に抑制することができる。
【００２４】
第１０の構成では、第６〜９のいずれかの構成に加えて、正面視にて、孔の面積が、周方向に隣接する一対の孔の間の面積と近似している。
【００２５】
孔の面積が過剰に大きくなれば、第１気流の流量が減少する。この点、第１０の構成では、孔の間の面積も十分に確保することができるため、中央筒部へ流入する気流を多くすることができる。
【００２６】
第１１の構成では、第１〜１０のいずれかの構成に加えて、中央筒部の内部を通過する気流を、中心筒部の中心軸周りに回転させる渦流化部を備えている。
【００２７】
気流が渦流である場合、渦の中心に近くなるほど流速が速くなり、渦の端部側ほど流速が遅くなる。この場合に、渦の端部側は外気等と接触して減速するものの、渦の中心側は、端部側の渦に保護され、減速が抑制される。第１１の構成では、第１気流を渦流とすることが可能であり、その渦流は第２気流により外周が覆われるため、渦流である第１気流の中心側の速度を、より維持することが可能である。
【００２８】
第１２の構成では、第５〜１０のいずれかの構成に加えて、中央筒部は、正面開口側から背面開口側にかけて、中心軸と内周面とをつなぐ板状のフィンを複数備え、フィンは、同一の周方向へと湾曲している。
【００２９】
第１２の構成では、中央筒部の内部に湾曲したフィンを設けているため、中央筒部の内部を通過する第１気流を中心軸周りに回転する渦流とすることができ、第１気流の中心側の速度をより維持することができる。
【００３０】
第１３の構成は、気体を流入側から流出側へと通過させる吹き出し口構造であって、気体の流入側の開口である正面開口と、気体の流出側の開口である背面開口とを有し、背面開口から正面開口へと気体が通過可能な中央筒部と、中央筒部の背面開口の周囲に設けられ、気体の通過を制限する制限部と、制限部に設けられ、制限部を背面側から正面側へと貫通する、互いに間隔を空けて設けられた複数の孔と、を備える。
【００３１】
この第１３の構成では、第１の構成に準ずる効果を得ることができる。
【図面の簡単な説明】
【００３２】
【図１】送風装置の全体構成を示す図である。
【図２】第１実施形態に係るアタッチメントの正面側の斜視図である。
【図３】第１実施形態に係るアタッチメントの背面側の斜視図である。
【図４】第１実施形態に係るアタッチメントの正面図である。
【図５】第１実施形態に係るアタッチメントの背面図である。
【図６】第１実施形態に係るアタッチメントの上面図である。
【図７】第１実施形態に係るアタッチメントのＡＡ断面図である。
【図８】図４の拡大図である。
【図９】第１実施形態に係るアタッチメントを通過する気流を示す断面図である。
【図１０】第１実施形態に係るアタッチメントを通過する気流の拡大正面図ある。
【図１１】第２実施形態に係るアタッチメントの正面図である。
【図１２】第２実施形態に係るアタッチメントの背面図である。
【図１３】第２実施形態に係るアタッチメントのＢＢ断面図である。
【発明を実施するための形態】
【００３３】
以下、各実施形態を図面に基づいて説明する。なお、以下の各実施形態相互において、互いに同一もしくは均等である部分には、図中、同一符号を付しており、同一符号の部分についてはその説明を援用する。
【００３４】
まず、本実施形態に係るアタッチメントが取り付けられる送風システムの全体構成について、図１を参照して説明する。送風システムが備える送風装置１００は、内部に設けられたファンを回転させて気流を発生させる。送風装置１００が発生させた気流は、送風装置１００に接続された筒状のダクト１０１を通じて供給される。ダクト１０１の側面には開口が複数設けられており、開口のそれぞれには、側面が蛇腹状に形成された円筒形のフレキシブルダクト１０２が複数取り付けられている。このフレキシブルダクト１０２は、蛇腹状に形成されているため、湾曲させることで気流の吹き出し方向を変化させることができる。各フレキシブルダクト１０２の先端部に、本実施形態に係るアタッチメント１０が取り付けられる。本実施形態に係るアタッチメント１０が取り付けられるフレキシブルダクト１０２の内径は、約１００ｍｍないし約１５０ｍｍであり、フレキシブルダクト１０２内を通過する気流の流速は、１０〜２０ｍ／ｓを想定している。なお、フレキシブルダクト１０２の内径及び気流の流速がこのような値であるため、アタッチメント１０に吹き込む気流及びアタッチメント１０から吹き出す気流は乱流となる。
【００３５】
本実施形態に係るアタッチメント１０の具体的な構造について、図２〜６を参照して説明する。なお、以下の説明において、アタッチメント１０がフレキシブルダクト１０２の先端に取り付けられた際に、フレキシブルダクト１０２側、すなわち気流がアタッチメント１０へ流れ込む側を背面とし、その反対側、すなわち、気流が吹き出す側を正面とする。また、以下の説明において、正面側を前側、背面側を後側とすることができるため、正面から背面への方向及びその逆方向のいずれも、前後方向と称する場合がある。
【００３６】
アタッチメント１０は、厚みが略均一な円筒形の外周筒部１１を備えている。この外周筒部１１の外径は、取り付け対象として想定しているフレキシブルダクト１０２の内径と略等しい。この外周筒部１１の外側には、外周筒部１１よりも大径であり、且つ、中心軸が共通の接続筒部１２が設けられている。接続筒部１２の内径は、取り付け対象として想定しているフレキシブルダクト１０２の外径よりも大きい。この接続筒部１２の正面側の端部と、外周筒部１１の正面側の端部とは、中心軸に垂直な仮想平面上に位置している。
【００３７】
外周筒部１１と接続筒部１２とは、外周筒部の正面側の端部にて、厚みが略均一の円環である接続部１３により接続されている。この接続部は１３、中心軸に対して垂直であり、且つ、正面視にて、外周筒部１１及び接続筒部１２と中心が共通している。この接続部１３の内径は、外周筒部１１の内径と等しく、接続部１３の外径は、接続筒部１２の外径と等しい。
【００３８】
接続筒部１２の側面には、中心軸に対して略平行であり、且つ長さが等しい一対の直線状の孔と、その一対の直線状の孔の正面側の端部どうしを結ぶ直線状の孔とにより構成される切り欠き１４が設けられている。この切り欠き１４は、接続筒部１２の上下面の対向する位置に、それぞれひとつずつ設けられている。この切り欠き１４が設けられることにより、接続筒部１２の上下面には、正面側が解放された長方形の返し１５が設けられる。この返し１５の先端側、すなわち正面側は、内側、すなわち外周筒部１１側に向けて反っている。
【００３９】
外周筒部１１の背面側端部の内周には、外周筒部１１の背面側端部から正面側へ向けて縮径する、円錐台筒状の導入流路１６が設けられている。この導入流路１６は外周筒部１１と中心軸が共通しており、導入流路１６の母線の中心軸に対する角度は３０度である。導入流路１６の前後方向の長さは方向の長さは、外周筒部１１の前後方向の略半分である。また、導入流路１６の側面の厚みは、略均一である。
【００４０】
導入流路１６の先端には、円環板状であり、且つ、厚みが略均一なフランジ部１７が設けられている。このフランジ部１７は、外周筒部１１の中心軸に対して垂直であり、且つ、フランジ部１７の中心は、外周筒部１７の中心軸に一致する。すなわち、正面視にて、フランジ部１７の内周及び外周はいずれも外周筒部１１と同心円状である。
【００４１】
フランジ部１７の内周には、フランジ部１７から正面側へ向けて縮径する、円錐台筒状の中央筒部１８が設けられている。この中央筒部１８も、外周筒部１１と中心軸が共通しており、中央筒部１８の母線の中心軸に対する角度は３０度である。中央筒部１８の正面側の開口である正面開口１８ａは、接続部１３の正面と同一の仮想平面状に位置している。中央筒部１８の前後方向の長さは、外周筒部１１の前後方向の略半分である。また、中央筒部１８の側面の厚みは、略均一である。中央筒部１８の背面側の開口である背面開口１８ｂとフランジ部１７の背面とは、中心軸線に垂直な共通の仮想平面状に位置しており、中央筒部１８の背面開口１８ｂとフランジ部１７とは、開口を共有している。
【００４２】
フランジ部１７には、前後方向に貫通する孔１９が、互いに間隔を空けて複数設けられている。この孔１９の中心軸側の端部である内側端部１９ａは、正面視にて、中央筒部１８の背面開口１８ｂの外周に沿った弧である。また、孔１９の内側端部１９ａは、前後方向において、中心軸からの距離が一定である。すなわち、孔１９の内側端部１９ａは中心軸に平行な弧状の曲面となっている。
【００４３】
孔１９の外周側の端部である外側端部１９ｂは、正面視にて、内側端部１９ａと中心線が共通であり、且つ、内側端部１９ａよりも中心角が大きい弧である。この外側端部１９ｂは、前後方向について、導入流路１６の内周面と連続する直線状となっている。すなわち、外側端部１９ｂは、背面側から正面側に向けて、中心軸からの距離が徐々に小さくなっている。したがって、孔１９の中心軸に対して垂直な方向の高さは、背面側から正面側に向けて徐々に小さくなっている。
【００４４】
また、孔１９の円周方向の端部は、それぞれ、内側端部１９ａと外側端部１９ｂとを結ぶ直線である。上述した通り、外側端部１９ｂの中心角が内側端部１９ａの中心角よりも大きいため、正面視にて、ひとつの孔１９における円周方向の端部を通る仮想直線どうしの交点ｓ１は、アタッチメント１０の中心ｓよりも孔１９側に寄った位置となる。
【００４５】
このように構成される孔１９において、外側端部１９ｂの弧の長さの合計は、中央筒部１８の正面開口１８ａの外周よりも大きくしてある。また、正面視での孔１９の面積が、周方向で隣り合う一対の孔１９に挟まれる面積と等しくなるように、内側端部１９ａと外側端部１９ｂの弧の長さを定めている。なお、製造するうえで誤差が生じたとしても、面積が等しいということができる。また、本実施形態において、孔１９は１４箇所設けている。
【００４６】
中央筒部１６の内周面には、中央筒部１６の中心軸と内周面とを結び、中央筒部１６の内側の空間を区画するフィン２０が５つ設けられている。このフィン２０は、形状が等しく、且つ、互いの間隔は等しい。すなわち、フィン２０により、中央筒部１６の内側の空間を５等分する。
【００４７】
このフィン２０は、厚みが略均一な板状であり、且つ周方向に所定の曲率で曲がっている。この曲率は、フィン２０の正面側から背面側のいずれの位置でも一定である。中央筒部１６の径は正面側から背面側へ向けて大きくなるため、フィン２０と中央筒部１６の内周面との接続部は、それぞれ、同一方向へ向けて曲がる曲線となる。
【００４８】
以上説明したアタッチメント１０は、外周筒部１１と接続筒部１２との間にフレキシブルダクト１０２の先端が差し込まれることで、フレキシブルダクト１０２の先端に取り付けられる。このとき、接続筒部１２に設けられた反し１４がフレキシブルダクト１０２の蛇腹に引っ掛かり、フレキシブルダクト１０２の先端からの抜けを抑制する。
【００４９】
続いて、アタッチメント１０がフレキシブルダクト１０２の先端に取り付けられ、アタッチメント１０の背面側から正面側へと抜ける気流が通過する場合について、図９及び１０を参照して説明する。図９及び１０において、矢印は、気流の進行方向を示している。
【００５０】
送風装置１００から吹き出した気流は、メインダクト１０１及びフレキシブルダクト１０２を通過し、アタッチメント１０の背面側に到達する。アタッチメント１０の背面側に到達した気流は、導入筒部１６によりアタッチメント１０の中心軸方向へと誘導され、中央筒部１８の背面側の開口１８ｂ及びフランジ部１７の背面側へ向かう。このとき、導入筒部１６の流路面積は、正面側へ向かうほど小さくなっているため、中央筒部１８の背面側の開口１８ｂ及びフランジ部１７の背面側に到達した気流は、フレキシブルダクト１０２内を通過する気流よりも流速が速くなっている。なお、導入筒部１６は、気流をアタッチメント１０の中心軸方向へと誘導する機能を有するため、誘導部を称することができる。
【００５１】
フランジ部１７の背面側へ到達した気流は、一部が孔１９を通過して、孔１９の正面側から第２気流として吹き出す。このとき、孔１９の外側端部１９ｂが導入流路１６の内周面と連続する直線状であるため、第２気流はアタッチメント１０の中心軸方向へ向かう状態を維持しつつ、吹き出す。また、孔１９の中心軸に対して垂直な方向の高さは、背面側から正面側に向けて小さくなっているため、孔１９から吹き出す第２気流は、孔１９への流入時よりも速度が速くなっている。なお、孔１９の外側端部１９ｂは、気流をアタッチメント１０の中心軸方向へと誘導する機能を有するため、導入筒部１６と同様に、誘導部を称することができる
【００５２】
孔１９から吹き出る第２気流は、導入筒部１６及び孔１９の外側端部１９ｂにより中心軸方向へと向かうように誘導された気流であるため、中央筒部１８の外周に沿いつつ、正面開口１８ａの周囲と向かう。周方向で隣接する孔１９から吹き出た第２気流どうしは、図８に示すように、正面開口１８に到達するまでに合流し、正面開口１８ａの全周を覆う環状の気流となる。
【００５３】
一方、フランジ部１７の背面側に到達した気流のうち、孔１８を通過しなかった気流は、中央筒部１８の背面開口１８ｂに到達した気流と合流し、中央筒部１８へと流入する。中央筒部１８は、導入筒部１６と同様に流路面積が徐々に小さくなるため、その流路面積に反比例して流速が速くなる。すなわち、第１気流は第２気流よりも流速が速くなった状態で、正面開口１８ａから吹き出す。加えて、中央筒部１８の内側に設けられたフィン２０により、気流はアタッチメント１０の中心軸周りに回転する渦流となり、中央筒部１８の正面開口１８ａから吹き出す。
【００５４】
このようにして正面開口１８ａから吹き出た第１気流の周囲は、孔１９から吹き出た環状の第２気流により覆われることとなる。流速の異なる気流が接する場合、その境界では、気流間の相対速度がゼロとなるように気流の加減速が生じる。したがって、第１気流は、第２気流と接触することにより減速するものの、第２気流も第１気流と同方向へ流れる気流であるため、第１気流が第２気流と接触することによる減速は、第１気流が外気と接触することによる減速と比較すれば小さい。したがって、第１気流の減速を低減することができ、アタッチメントの正面から吹き出す気流を、より遠くまで到達させることができる。
【００５５】
以上説明した本実施形態に係るアタッチメント１０が奏する効果について、アタッチメント１０の各構成に対応させて説明する。
【００５６】
・フランジ部１７において、間隔を空けて孔１９を設けているため、アタッチメント１０に吹き込む気流全体に対する孔１９を通過する気流の割合が低減する。したがって、中央筒部１８の背面開口１８ｂに流入する気流が多くなり、正面開口１８ａから吹き出す第１気流の流量が増加させることができる。一方、孔１９を互いに間隔を空けて設ける場合、孔１９から吹き出した気流である第２気流の間に隙間が生ずる。この点、フランジ部１７が中央筒部１８の背面開口１８ｂの周囲に設けられているため、第２気流は拡散しつつ中央筒部１８の正面開口１８ａの周囲へと至る。これにより、第１気流が正面開口１８ａから吹き出す際に、第１気流の周囲が第２気流により覆われ、第１気流と外気との接触をより抑制することができる。したがって、第１気流の流量の確保しつつ、第１気流の減速を好適に抑制することができる。
【００５７】
・孔１９から吹き出た第２気流は、拡散しつつ中央筒部１８の正面開口１８の周囲に至る。この場合に、第２気流が過剰に拡散してしまえば、正面開口１８ａの周囲に到達する第２気流を十分に確保できないおそれがある。この点、円錐台状の導入筒部１６により、孔１９へ流入する気流を中心軸側へ誘導し、かつ、孔１９の外側端部１９ｂを中心軸側へ向けて傾斜させているため、第２気流の拡散を抑制することができる。これにより、第１気流と合流した際の第２気流の流量を十分確保でき、第１気流が外気と接することにより生ずる第１気流の減速を、好適に抑制することができる。
【００５８】
・中央筒部１８の背面開口１８ｂ及びフランジ部１７の背面が、中心軸線に垂直な共通の仮想平面状に位置しているため、フランジ部１７の背面側に到達し、且つ、孔１９と通過しない気流は、中央筒部１８の背面開口１８ｂへとより流入しやすくなる。したがって、第１気流の流量をより多くすることができる。
【００５９】
・中央筒部１８の形状を、円錐台筒状としているため、中央筒部１８の正面開口１８ａから吹き出す第１気流の速度をより早くすることができる。
【００６０】
・円環形のフランジ部１７の周方向に間隔を空けて孔１９を設けているため、孔１９から吹き出した第２気流は、中央筒部１８の正面開口に至るまでに円環状の層となりやすい。したがって、第２気流により第１気流の全周を覆うことができ、第１気流と外気との接触により生ずる第１気流の減速をより好適に抑制することができる。
【００６１】
・孔１９の内側端部１９ａを中央筒部１８の外周面に沿う形状としているため、孔１９から吹き出した第２気流は、中央筒部１８の外周面に沿って正面開口１８ａの周囲へと至る。これにより、第２気流が正面開口１８ａに到達した際に、第１気流と第２気流との間に外気がより入り込みづらくなり、第１気流と外気との接触により生ずる減速をより好適に抑制することができる。
【００６２】
・孔１９から吹き出る第２気流は、外側端部１９ｂ側ほど外側へ向かって拡散しやすいため、周方向で近接する２つの孔１９における、外側端部１９ｂの間の第２気流の層が薄くなりやすい。この点、外側端部１９ｂを内側端部１９ａよりも中心角が大きい弧としているため、外側端部１９ｂ側から吹き出す第２気流の流量をより多くすることができ、孔１９の間における円環状の層の厚みを確保することができる。
【００６３】
・孔１９の外側端部１９ｂの長さの合計を、正面開口１８ａの外周よりも大きくしているため、孔１９から吹き出た第２気流が正面開口１８に到達した際に、吹き出した時点の形状を維持していたとしても、第２気流は正面開口１８ａの全周を囲う環状の気流となる。したがって、第１気流と外気との接触により生ずる減速をより好適に抑制することができる。
【００６４】
・孔１９の外側端部１９ｂの長さの合計を、正面開口１８ａの外周よりも大きくする場合、孔１９の面積が過剰に大きくなれば、中央筒部１８へ流入する気流を十分に確保できない。この点、孔１９の面積と孔１９の間の面積を等しくしているため、中央筒部１８へ流入する気流を十分に確保することができる。
【００６５】
・気流が渦流である場合、渦の中心に近くなるほど流速が速くなり、渦の端部側ほど流速が遅くなる。この場合に、渦の端部側は外気等と接触して減速するものの、渦の中心側は、端部側の渦に保護され、減速が抑制される。本実施形態では、中央筒部１８にフィン２０を設け、第１気流を渦流とすることが可能であり、その渦流は第２気流により外周が覆われるため、渦流である第１気流の中心側の速度を、より維持することが可能となる。
【００６６】
・樹脂成型品等を製造するうえで、筒状の部材の内部に前後方向で曲率が変化する部材を設けることは困難である。この点、フィン２０の周方向への曲率を、正面開口１８ａ側から背面開口１８ｂ側にかけて一定としているため、アタッチメント１０を樹脂等で製造する場合でも、容易に製造することができる。
【００６７】
＜第２実施形態＞
本実施形態に係るアタッチメント１１０を、図１１〜１３を参照して説明する。本実施形態に係るアタッチメントは、第１実施形態と同様に、フレキシブルダクト１０２の先端に取り付けられて使用される。
【００６８】
本実施形態に係るアタッチメント１１０において、外周筒部１１１、接続筒部１１２、接続部１１３、切り欠き１１４、及び、返し１１５については、第１実施形態と同等であるため、説明を省略する。
【００６９】
本実施形態に係るアタッチメント１１０では、第１実施形態と異なり、導入筒部１６を設けず、外周筒部１１１の後端の内周に円環板状のフランジ部１１７を設けている。このフランジ部１１７は、第１実施形態と同様に、外周筒部１１１の中心軸に対して垂直であり、且つ、フランジ部１１７の中心は、外周筒部１７の中心軸に一致する。
【００７０】
フランジ部１１７の内周には、フランジ部１１７から正面側へ向けて縮径する、円錐台筒状の中央筒部１１８が設けられている。この中央筒部１１８も、外周筒部１１１と中心軸が共通しており、中央筒部１１８の母線の中心軸に対する角度は３０度である。中央筒部１１８の正面側の開口である正面開口１１８ａは、接続部１１３の正面と同一の仮想平面状に位置している。中央筒部１１８の前後方向の長さは、外周筒部１１１の前後方向の略等しい。また、中央筒部１１８の側面の厚みは、略均一である。中央筒部１１８の背面側の開口である背面開口１１８ｂとフランジ部１１７の背面とは、中心軸線に垂直な共通の仮想平面状に位置しており、中央筒部１１８の背面開口１１８ｂとフランジ部１１７とは、開口を共有している。
【００７１】
フランジ部１１７には、第１実施形態と同様に、前後方向に貫通する孔１１９が、互いに間隔を空けて複数設けられている。この孔１１９の中心軸側の端部である内側端部１１９ａは、正面視にて、中央流路１１８の背面開口１８ｂの外周に沿った弧である。また、孔１１９の中心軸側の端部１１９ａは、前後方向において、中心軸からの距離が一定である。すなわち、孔１１９の中心側の端部１１９ａは中心軸に平行な弧状の曲面となっている。すなわち、孔１９の中心側の端部１９ａは中心軸に平行な弧状の曲面となっている。
【００７２】
孔１１９の外周側の端部である外側端部１１９ｂは、正面視にて、内側端部１１９ａと中心線が共通であり、且つ、内側端部１１９ａよりも中心角が大きい弧である。この外側端部１１９ｂは、後端側から正面側にかけて、中心軸側へ近づく傾斜が設けられている。したがって、孔１１９の中心軸に対して垂直な方向の高さは、背面側から正面側に向けて小さくなっている。また、孔１９の円周方向の端部である一対の側方端部１９ｃは、それぞれ、内側端部１９ａと外側端部１９ｂとを結ぶ直線である。
【００７３】
このように構成される孔１１９において、第１実施形態と同様に、外側端部１１９ｂの弧の長さの合計は、中央筒部１１８の正面開口１１８ａの外周よりも大きくされている。また、内側端部１１９ａと外側端部１１９ｂの弧の長さは、正面視での孔１１９の面積が、周方向で隣り合う一対の孔１１９に挟まれる面積と等しくされている。
【００７４】
上記構成により、本実施形態に係るアタッチメント１１０は、第１実施形態に準ずる効果を奏する。
【００７５】
＜変形例＞
アタッチメント１０，１１０の構造は、実施形態で示したものに限られず、共通の機能を有するものに適宜変更が可能である。実施形態に係るアタッチメントの機能を変更した例としては、例えば以下のものが挙げられる。
【００７６】
・実施形態では、アタッチメント１０，１１０をフレキシブルダクト１０２の先端に取り付けるものとしたが、アタッチメント１０，１１０の取り付け対象は、フレキシブルダクト１０２に限らず、気体の吹き出し口であればよい。この場合には、外周筒部１１，１１１や接続筒部１２，１１２の形状を、取り付け対象に応じた形状に変更すればよい。また、アタッチメント１０，１１０に接続筒部１２，１１２を設けず、気体の吹き出し口の内周面に外周筒部１１，１１１の外周面を取り付けるものとしてもよい。
【００７７】
・実施形態では、中央筒部１８，１１８の形状を円錐台筒としたが、中央筒部１８，１１８の形状は、円筒であってもよいし、多角錐台筒や多角筒であってもよい。この場合においても、孔から吹き出した第２気流は中央筒部１８，１１８の周囲で拡散しつつ中央筒部１８，１１８の正面の周囲へ向かうため、実施形態に準ずる効果を得ることができる。同様に、導入筒部１６の形状についても、円筒であってもよいし、多角錐台筒や多角筒であってもよい。
【００７８】
・孔１９，１１９の形状は実施形態で示したものに限られない。例えば、孔の内側端部１９ａ，１１９ａと外側端部１９ｂ，１１９ｂについて、中心角が等しい弧状としてもよいし、内側端部１９ａ，１１９ａの中心角を外側端部１９ｂ，１１９ｂの中心角よりも大きくしてもよい。さらに、孔１９，１１９の形状を、半円形や円形等としてもよい。
【００７９】
・各実施形態において、フランジ部１７，１１７を設け、そのフランジ部１７，１１７に孔１９，１１９を設けるものとしたが、フランジ部１７，１１７を設けず、円錐台形の中央筒部１８，１１８の側面に孔を設けるものとしてもよい。この場合においても、アタッチメント１０，１１０の背面から流入した気流の一部が孔を通過して第２気流として吹き出し、中央筒部１８，１１８の外面に沿って中央筒部１８，１１８の正面開口の周囲へと至る。また、孔を通過しなかった気流は中央筒部１８，１１８の正面開口１８ａ，１１８ａから第１気流として吹き出すため、各実施形態に準ずる効果を奏する。
【００８０】
・実施形態では、中央筒部１８，１１８の内側に設けたフィン２０，１２０の形状は、実施形態で示したものに限られず、第１気流を中央筒部１８，１１８の中心軸周りに回転する渦流を発生可能な形状であればよい。例えば、フィン２０，１２０の周方向の曲率について、背面側から正面側に向けて徐々に大きくなるものとしてもよい。また、実施形態では、フィン２０，１２０を中央筒部１８，１１８の中心軸上でつなげ、中央筒部１８，１１８の内部を等分するものとしたが。フィン２０，１２０を中心軸上でつなげず、中心軸に至らない範囲で、中央筒部１８，１１８の内周面から突出するものとしてもよい。
【００８１】
・実施形態では、アタッチメント１０，１００をフレキシブルダクト１０２の先端に接続するものとしたが、フレキシブルダクト等の先端の気体の吹き出し口に、実施形態に係るアタッチメント１０，１００に準ずる構造を設けるものとしてもよい。具体的には、気体の吹き出し口の先端を外周筒部に準ずるものとし、その内部に、導入筒部、フランジ部、中央筒部１８等を設けるものとすればよい。
【００８２】
・実施形態では、正面視での孔１９の面積と、周方向で隣り合う一対の孔１９に挟まれる面積とが等しくなるように、孔１９の内側端部１９ａ及び外側端部１９ｂの弧の長さを定めているが、この限りではない。正面視での孔１９の面積と、周方向で隣り合う一対の孔１９に挟まれる面積とが近似していれば、実施形態と同等の効果を得ることができる。また、一方の面積が他方の面積の半分程度であっても、第１気流の流量の確保しつつ、第１気流の減速を抑制するうえで、一定の効果を得ることができる。
【００８３】
・実施形態では、フレキシブルダクト１０２の内径及びフレキシブルダクト１０２内を通過する気流の流速を特定しているが、これはあくまで一例であって、様々なサイズのフレキシブルダクト１０２に対して適用可能であり、フレキシブルダクト１０２内の気流の流速についても、実施形態に限られるわけではない。このような場合には、アタッチメント１０，１００の大きさは取り付け対象のフレキシブルダクト１０２の大きさに合ったものとすればよい。
【００８４】
・実施形態では、アタッチメント１０，１００をフレキシブルダクト１０２の先端に接続するものとしたが、アタッチメント１０，１００の接続対象はこれに限られず、フレキシブルダクト１０２以外の筒状の吹き出し口に取り付けることもできる。また、アタッチメント１０，１００を、壁面や機器等の気流の吹き出し口に取り付けることもでき、この場合には、アタッチメント１０，１００に、取り付け対象とする気流の吹き出し口に対応した取付構造を設けるものとすればよい。
【符号の説明】
【００８５】
１０…アタッチメント、１１…外周筒部、１６…導入筒部、１７…フランジ部、１８…中央筒部、１８ａ…正面開口、１８ｂ…背面開口、１９…孔、１９ａ…内側端部、１９ｂ…外側端部、２０…フィン
１１０…アタッチメント、１１１…外周筒部、１１７…フランジ部、１１８…中央筒部、１１８ａ…正面開口、１１８ｂ…背面開口、１１９…孔、１１９ａ…内側端部、１１９ｂ…外側端部、１２０…フィン
【図１】
2020034258.tif 000003
【図２】
2020034258.tif 000004
【図３】
2020034258.tif 000005
【図４】
2020034258.tif 000006
【図５】
2020034258.tif 000007
【図６】
2020034258.tif 000008
【図７】
2020034258.tif 000009
【図８】
2020034258.tif 000010
【図９】
2020034258.tif 000011
【図１０】
2020034258.tif 000012
【図１１】
2020034258.tif 000013
【図１２】
2020034258.tif 000014
【図１３】
2020034258.tif 000015